(57)【特許請求の範囲】
【請求項１】
上位ノードよりの指示により、デディケート・コントロール・チャネル（以後、ＤＣＣＨと記載する。）を使用して呼を確立し、デディケート・トラフィック・チャネル（以後、ＤＴＣＨと記載する。）と前記ＤＣＣＨとを多重した回線を使用して通信状態を確立し維持する無線基地局において、
前記呼を確立するために使用する前記ＤＣＣＨの伝送レートを、前記通信状態を確立し維持するために使用する前記ＤＴＣＨと前記ＤＣＣＨとを多重した回線中の前記ＤＣＣＨの伝送レートより高速にしたことを特徴とする無線基地局。
【請求項２】
前記呼を確立するために使用する前記ＤＣＣＨの伝送レートを１３．６ｋｂｐｓとし、前記通信状態を確立し維持するときに使用する前記ＤＣＣＨの伝送レートを３．４ｋｂｐｓとしたことを特徴とする請求項１記載の無線基地局。
【請求項３】
符号分割マルチアクセス（以後、ＣＤＭＡと記載する。）方式により、前記ＤＣＣＨを使用して前記呼を確立し、前記ＤＴＣＨと前記ＤＣＣＨとを使用して前記通信状態を確立し維持するようにしたことを特徴とする請求項１又は２記載の無線基地局。
【請求項４】
上位ノードよりの指示により、ＤＣＣＨを使用して呼を確立し、ＤＴＣＨと前記ＤＣＣＨとを多重した回線を使用して通信状態を確立し維持する無線基地局において、
呼を確立するために使用する回線を設定するために、前記上位ノードより予め定めた第１の伝送レートでの前記ＤＣＣＨを設定するための指示を受け、この指示に従いリソースを割り当てこの割り当てたリソースの確保のための第１の指示を出力し、前記呼が確立した後に、通信状態を確立し維持するために使用する回線を設定するために、前記上位ノードより前記第１の伝送レートより低速の予め定めた第２の伝送レートでの前記ＤＣＣＨを設定するための指示と前記ＤＴＣＨを設定するための指示とを受け、これらの指示に従いリソースを割り当てこの割り当てたリソースの確保のための第２の指示を出力する無線回線制御部と、
前記第１の指示を受け前記第１の伝送レートに応じたリソースを確保し、前記第２の指示を受け前記第２の伝送レートと前記ＤＴＣＨの伝送レートとに応じたリソースを確保する無線リソース部と、
を備えたことを特徴とする無線基地局。
【請求項５】
前記通信状態が確立した後に、前記呼を解除するために使用する回線を設定するために、前記上位ノードより前記ＤＴＣＨを解除するための指示を受け、この指示に従い前記ＤＴＣＨの設定ためのリソースの割り当てを解除し、この解除したリソースを解放するための第３の指示を出力する前記無線回線制御部と、
前記第３の指示を受け前記ＤＴＣＨ用に確保した前記ＤＴＣＨの伝送レートに対応するリソースを解放する前記無線リソース部と、
を備えたことを特徴とする請求項４記載の無線基地局。
【請求項６】
前記通信状態が確立した後に、前記呼を解除するために使用する回線を設定するために、前記上位ノードより前記ＤＴＣＨを解除するための指示を受け、この指示に従い前記ＤＴＣＨの設定ためのリソースの割り当てを解除し、この解除したリソースを解放するための第３の指示を出力し、前記第１の伝送レートでの前記ＤＣＣＨを設定するための指示を受け、この指示に従いリソースを割り当てこの割り当てたリソースの確保のための前記第１の指示を出力する前記無線回線制御部と、
前記第３の指示を受け前記ＤＴＣＨ用に確保した前記ＤＴＣＨの伝送レートに対応するリソースを解放し、前記第１の指示を受け前記第１の伝送レートに応じたリソースを確保する前記無線リソース部と、
を備えたことを特徴とする請求項４記載の無線基地局。
【請求項７】
上位ノードよりの指示により、ＤＣＣＨを使用して呼を確立し、ＤＴＣＨと前記ＤＣＣＨとを多重した回線を使用して通信状態を確立し維持する無線基地局において、
呼を確立するために使用する回線を設定するために、前記上位ノードよりの指示に従い予め定めた第１の伝送レートの前記ＤＣＣＨを設定するための有線区間に関連する各種設定パラメータを有線区間ＩＤを割り当ててユーザー情報として保持し、前記上位ノードの指示に従い前記第１の伝送レートの前記ＤＣＣＨを設定するための無線区間に関連する各種設定パラメータを無線区間ＩＤを割り当ててユーザー情報として保持し、この前記有線区間ＩＤと前記無線区間ＩＤとをリンク付けし、前記第１の伝送レートに応じたリソースを割り当てこの割り当てたリソースの確保のための第１の指示を出力し、呼が確立した後に、通信状態を確立し維持するために使用する回線を設定するために、前記上位ノードから前記第１の伝送レートより低速の予め定めた第２の伝送レートの前記ＤＣＣＨを設定するための第１の有線情報を受け、前記有線区間ＩＤを割り当てられた前記ユーザー情報中の前記第１の伝送レートの前記ＤＣＣＨを設定するためのパラメータを前記第２の伝送レートの前記ＤＣＣＨを設定するためのパラメータに取り替え、前記上位ノードから前記ＤＴＣＨを設定するための第２の有線情報と、前記ＤＣＣＨと前記ＤＴＣＨとをリンクすることを指示するメッセージとを受け、前記リンク付けした前記有線区間ＩＤに対応するユーザー情報と前記無線区間ＩＤに対応するユーザー情報とに前記ＤＴＣＨを設定するための前記第２の有線情報を付け加えて保持し、前記第２の伝送レートと前記ＤＴＣＨの伝送レートとに応じたリソースを割り当てこの割り当てたリソースの確保のための第２の指示を出力する無線回線制御部と、
前記第１の指示を受け前記第１の伝送レートに応じたリソースを確保し、前記第２の指示を受け前記第２の伝送レートと前記ＤＴＣＨの伝送レートとに応じたリソースを確保する無線リソース部と、
を備えたことを特徴とする無線基地局。
【請求項８】
前記通信状態が確立した後に、前記呼を解除するために使用する回線を設定するために、前記上位ノードよりの指示に従い、前記ＤＴＣＨを設定するための前記第２の有線情報を付け加えて保持した情報から前記ＤＴＣＨを設定するためのパラメータを削除し、前記ＤＴＣＨを設定するためのリソースの割り当てを解除し、この解除したリソースを解放するための第３の指示を出力する前記無線回線制御部と、
前記第３の指示を受け前記ＤＴＣＨ用に確保した前記ＤＴＣＨの伝送レートに対応するリソースを解放する前記無線リソース部と、
を備えたことを特徴とする請求項７記載の無線基地局。
【請求項９】
前記通信状態が確立した後に、前記呼を解除するために使用する回線を設定するために、前記上位ノードより、前記第１の伝送レートの前記ＤＣＣＨの設定のための第３の有線情報を受け、前記有線区間ＩＤを割り当てられた前記ユーザー情報中の前記第２の伝送レートの前記ＤＣＣＨを設定するためのパラメータを前記第１の伝送レートの前記ＤＣＣＨの設定のためのパラメータに取り替え、前記上位ノードよりの指示に従い、前記ＤＴＣＨを設定するための前記第２の有線情報を付け加えて保持した情報から前記ＤＴＣＨを設定するためのパラメータを削除し、前記ＤＴＣＨを設定するためのリソースの割り当てを解除し、この解除したリソースを解放するための第３の指示を出力し、前記第１の伝送レートの前記ＤＣＣＨに切り替えるための第４の指示を出力する前記無線回線制御部と、
前記第３の指示を受け前記ＤＴＣＨ用に確保した前記ＤＴＣＨの伝送レートに対応するリソースを解放し、前記第４の指示を受け前記第１の伝送レートに応じたリソースを確保する前記無線リソース部と、
を備えたことを特徴とする請求項７記載の無線基地局。
【請求項１０】
上位ノードよりの指示により、ＤＣＣＨを使用して呼を確立し、ＤＴＣＨと前記ＤＣＣＨとを多重した回線を使用して通信状態を確立し維持する無線基地局において、
呼を確立するために使用する回線を設定するために、前記上位ノードより有線区間ＩＤ設定を要求するメッセージを受け、このメッセージに従い予め定めた第１の伝送レートの前記ＤＣＣＨを設定するための有線区間に関連する各種設定パラメータをユーザー情報として保持し、この情報に前記有線区間ＩＤ設定を要求する前記メッセージに含まれる有線区間ＩＤを割り当て、前記上位ノードから無線区間ＩＤ設定を要求するメッセージを受け、このメッセージに従い前記第１の伝送レートの前記ＤＣＣＨを設定するための無線区間に関連する各種設定パラメータをユーザー情報として保持し、この情報に前記無線区間ＩＤ設定を要求する前記メッセージに含まれる無線区間ＩＤを割り当て、それぞれ割り当てた前記有線区間ＩＤと前記無線区間ＩＤの双方をリンク付けし、前記第１の伝送レートに応じたリソースを割り当てこの割り当てたリソースの確保のための第１の指示を出力し、呼が確立した後に、通信状態を確立し維持するために使用する回線を設定するために、前記上位ノードから前記第１の伝送レートより低速の予め定めた第２の伝送レートの前記ＤＣＣＨを設定するための第１の有線情報を受け、この第１の有線情報に従い前記有線区間ＩＤを割り当てられた前記ユーザー情報中の前記第１の伝送レートの前記ＤＣＣＨを設定するためのパラメータを前記第２の伝送レートの前記ＤＣＣＨを設定するためのパラメータに取り替え、前記上位ノードから前記ＤＴＣＨを設定するための第２の有線情報を受け、前記上位ノードから前記ＤＣＣＨと前記ＤＴＣＨとをリンクすることを指示するメッセージを受け、前記リンク付けした前記有線区間ＩＤに対応するユーザー情報と前記無線区間ＩＤに対応するユーザー情報とに前記ＤＴＣＨを設定するための前記第２の有線情報を付け加えて保持し、この保持した情報に従って前記第２の伝送レートと前記ＤＴＣＨの伝送レートとに応じたリソースを割り当てこの割り当てたリソースの確保のための第２の指示を出力する無線回線制御部と、
前記第１の指示を受けこの指示に従い前記第１の伝送レートに応じたリソースを確保し、前記第２の指示を受けこの指示に従い前記第２の伝送レートと前記ＤＴＣＨの伝送レートとに応じたリソースを確保する無線リソース部と、
を備えたことを特徴とする無線基地局。
【請求項１１】
前記通信状態が確立した後に、前記呼を解除するために使用する回線を設定するために、前記上位ノードより前記ＤＴＣＨを解除するためのメッセージを受け、このメッセージに従い、前記ＤＴＣＨを設定するための前記第２の有線情報を付け加えて保持した情報から前記ＤＴＣＨを設定するためのパラメータを削除し、前記ＤＴＣＨを設定するためのリソースの割り当てを解除し、この解除したリソースを解放するための第３の指示を出力する前記無線回線制御部と、
前記第３の指示を受けこの指示に従い前記ＤＴＣＨ用に確保した前記ＤＴＣＨの伝送レートに対応するリソースを解放する前記無線リソース部と、
を備えたことを特徴とする請求項１０記載の無線基地局。
【請求項１２】
前記通信状態が確立した後に、前記呼を解除するために使用する回線を設定するために、前記上位ノードより、前記第１の伝送レートのＤＣＣＨの設定のための第３の有線情報を受け、この第３の有線情報に従い前記有線区間ＩＤを割り当てられた前記ユーザー情報中の前記第２の伝送レートの前記ＤＣＣＨを設定するためのパラメータを前記第１の伝送レートの前記ＤＣＣＨの設定のためのパラメータに取り替え、前記上位ノードより前記ＤＴＣＨを解放するためのメッセージを受け、前記ＤＴＣＨを設定するための前記第２の有線情報を付け加えて保持した情報から前記ＤＴＣＨを設定するためのパラメータを削除し、前記ＤＴＣＨを解放するための前記メッセージに従い前記ＤＴＣＨを設定するためのリソースの割り当てを解除し、この解除したリソースを解放するための第３の指示を出力し、前記第１の伝送レートの前記ＤＣＣＨに切り替えるための第４の指示を出力する前記無線回線制御部と、
前記第３の指示を受けこの指示に従い前記ＤＴＣＨ用に確保した前記ＤＴＣＨの伝送レートに対応するリソースを解放し、前記第４の指示を受け前記第１の伝送レートに応じたリソースを確保する前記無線リソース部と、
を備えたことを特徴とする請求項１０記載の無線基地局。
【請求項１３】
前記第１の伝送レートを１３．６ｋｂｐｓ、前記第２の伝送レートを３．４ｋｂｐｓとしたことを特徴とする請求項４から１２のいずれか１項記載の無線基地局。
【請求項１４】
ＣＤＭＡ方式により、前記ＤＣＣＨを使用して前記呼を確立し、前記ＤＴＣＨと前記ＤＣＣＨとを使用して前記通信状態を確立し維持するようにしたことを特徴とする請求項４から１３のいずれか１項記載の無線基地局。
【発明の詳細な説明】
【０００１】
【発明の属する技術分野】
本発明は無線基地局に関し、特に上位ノードよりの指示により、デディケート・コントロール・チャネル（以後、ＤＣＣＨと記載する。）とデディケート・トラフィック・チャネル（以後、ＤＴＣＨと記載する。）とを使用して移動機との間で通信する無線基地局に関する。
【０００２】
【従来の技術】
従来、この種の無線基地局は、上位ノードからの指示により、符号分割マルチアクセス（ＣＤＭＡ：ｃｏｄｅ  ｄｅｖｉｓｉｏｎ  ｍｕｌｔｉ  ａｃｃｅｓｓ、以後ＣＤＭＡと記載する。）方式により、移動機との間で、ＤＣＣＨ（ｄｅｄｉｃａｔｅｄ  ｃｏｎｔｏｒｏｌ  ｃｈａｎｎｅｌ）を使用して呼を確立し、ＤＴＣＨ（ｄｅｄｉｃａｔｅｄ  ｔｒａｆｆｉｃ  ｃｈａｎｎｅｌ）とＤＣＣＨとを多重した回線を使用して通信状態を確立し維持し、ＤＣＣＨを使用して呼の解除を行うために用いられている。
【０００３】
ここで、ＤＣＣＨ（デディケート・コントロール・チャネル）とは、個々のユーザが期待するサービスを確立（例えば、呼の確立等）するまでの間のネゴシエーション及びサービスが確立した後の制御情報（例えば、干渉の具合等の情報）を無線基地局と移動機との間でやりとりするために使用する回線である。この回線の伝送レートは３ＧＰＰ（３ｒｄ  Ｇｅｎｅｒａｔｉｏｎ  Ｐａｒｔｎｅｒｓｈｉｐ  Ｐｒｏｊｅｃｔ：ＣＤＭＡ方式について規定された国際規格）により規定されているが、１３．６ｋｂｐｓと３．４ｋｂｐｓとが一般的に使用されている。
【０００４】
また、ＤＴＣＨ（デディケート・トラフィック・チャネル）とは、移動機対移動機、移動機対固定機間で実際に音声やパケット通信でのデータをやり取りする回線である。
【０００５】
この従来の無線基地局は、図７に示すように、無線基地局４の上位装置の位置付けとなる回線制御局等の上位ノード５の配下で無線リソースの制御を行う。
【０００６】
この無線基地局４は、上位ノード５とのインタフェース機能を実現する上位ノードＩ／Ｆ部１１と、上位ノード５からの入力情報を解析し無線基地局４内の無線リソースの割り当て制御を行う無線回線制御部４２と、無線回線制御部４２からの指示に従い実際の無線リソースを確保し保持する無線リソース部１３（例えば複数のモデムを保持している。）とにより構成する。
【０００７】
ここで、無線基地局４による、移動機３の呼の確立、通信状態の確保、呼の解除について説明する。
【０００８】
無線基地局４と移動機３との間での、呼の確立，通信状態及び呼の解除時に使用する回線とこの回線の伝送レートとの関係は、図８に示すように、呼の確立時（ネゴシエーション時）には、伝送レート３．４ｋｂｐｓのＤＣＣＨ（以後、ＤＣＣＨ（３．４）と記載する。）を使用し、通信状態の時には、伝送レート１２．２ｋｂｐｓのＤＴＣＨ（以後、ＤＴＣＨ（１２．２）と記載する。）とＤＣＣＨ（３．４）を多重した回線を使用し、呼の解除時には、ＤＣＣＨ（３．４）を使用している。
【０００９】
移動機３は、無線基地局４の無線リソース部１３を介して無線基地局４と通信する。
【００１０】
無線基地局４は、移動機３の呼の確立、通信状態の確保、呼の解除について自発的に動作を開始するものではなく、全て、上位ノード５からの制御メッセージによって制御される。
【００１１】
無線基地局４は、移動機３の呼を確立し、移動機３と通信状態を確保するために大きく分けて２つのＩＤ（アイデンティティ）情報を使用している。
【００１２】
この２つのＩＤ情報とは、上位ノード５と無線基地局４との間でユーザー（移動機３）を特定しこのユーザーの使用するＤＣＣＨやＤＴＣＨを管理するためのＩＤ情報（有線区間ＩＤ）と、無線基地局４と移動機３との間でユーザーを特定するためのＩＤ情報（無線区間ＩＤ）である。
【００１３】
無線基地局４はこれらのＩＤ情報をリンク付け（対応付け）することでユーザーの呼を確立させている。
【００１４】
最初に、ユーザーの呼を確立させるまでの無線基地局４の動作（ネゴシエーション）について説明する。
【００１５】
初めに、有線区間ＩＤの割り当てを行う。有線区間ＩＤの割り当てを行う際は、無線基地局４は上位ノードＩ／Ｆ部１１により上位ノード５から有線区間ＩＤ設定を要求するメッセージを受信する。無線基地局４の無線回線制御部４２は、受信した要求メッセージに従い、有線区間に関連する各種設定パラメータ（ＤＣＣＨ（３．４）を設定するための有線区間の帯域等の情報に関連したパラメータ）を１ユーザー情報として保持し、この保持した情報に対して要求メッセージに含まれる有線区間ＩＤを割り当てる。
【００１６】
次に、無線基地局４は上位ノードＩ／Ｆ部１１により上位ノード５から無線区間ＩＤ設定を要求するメッセージを受信する。無線基地局４の無線回線制御部４２は、受信した要求メッセージに従い、無線区間に関連する各種設定パラメータ（ＤＣＣＨ（３．４）を設定するための無線区間の帯域、送信電力、リンクすべき有線区間ＩＤ情報等の情報に関連したパラメータ）を１ユーザー情報として保持し、保持した情報に対して要求メッセージに含まれる無線区間ＩＤを割り当てる。
【００１７】
その後、無線回線制御部４２は、それぞれ割り当てた有線区間ＩＤと無線区間ＩＤの双方をリンク付け（対応付け）し実際のリソースの割り当てる。
【００１８】
ここで、リソースとは、例えばモデムであり、１つのモデムで処理できる上り、下りの伝送能力も一律で、パケット送信等、伝送レートの高い通信（６４ｋｂｐｓ、１２８ｋｂｐｓ、２５６ｋｂｐｓ、３８４ｋｂｐｓ等）を行う場合は、１ユーザに対して複数のモデムをアサインし、音声通信等、伝送レートの低い通信（例えば、１２．２ｋｂｐｓ等）を行う場合は、１モデムをユーザに割り当てる。ここでは、例えば、ＤＣＣＨ（３．４）を設定するための伝送レートであるので、１つのモデムを割り当てる。
【００１９】
そして、無線回線制御部４２は無線リソース部１３にこの割り当てたリソースの確保を指示し、無線リソース部１３は指示されたリソースの確保を行う。
【００２０】
ここまでの手順により設定されたＤＣＣＨ（３．４）にてネゴシエーションが行われ呼が確立する（図８のネゴシエーションの部分を参照）。
【００２１】
次に、通信状態を確立するための無線基地局４の動作について説明する。
【００２２】
この動作は、先に確立しているＤＣＣＨ（３．４）を実際のユーザーデータ（例えば、音声信号）を伝送するためのＤＴＣＨと多重させる（ＤＣＣＨにＤＴＣＨを追加する）ものである。ＤＴＣＨの追加に関してはＤＣＣＨの設定動作と同様に、上位ノード５からの要求により実行する。
【００２３】
無線基地局４は上位ノードＩ／Ｆ部１１により上位ノード５からの要求であるＤＴＣＨ設定用の有線情報（例えば、ＤＴＣＨ（１２．２）を設定するための情報）を受信する。
【００２４】
また、無線基地局４は上位ノードＩ／Ｆ部１１により上位ノード５からＤＣＣＨ（３．４）とＤＴＣＨ（１２．２）とをリンクすることを指示する無線情報を受信する。
【００２５】
無線基地局４の無線回線制御部４２は、受信した無線情報に従い、前述した有線区間ＩＤと無線区間ＩＤの双方をリンク付けしたときの情報にＤＴＣＨ設定用の有線情報を付け加える。
【００２６】
その後、無線回線制御部４２は、このＤＴＣＨ設定用の有線情報を付加した情報にしたがって実際のリソースの割り当てる。
【００２７】
ここでは、例えば、ＤＣＣＨ（３．４）とＤＴＣＨ（１２．２）を設定するための伝送レートに見合った数のモデムを割り当てる。
【００２８】
そして、無線回線制御部４２は無線リソース部１３にこの割り当てたリソースの確保を指示し、無線リソース部１３は指示されたリソースの確保を行う。
【００２９】
ここまでの手順により設定された１５．６ｋｂｐｓ（ＤＣＣＨの３．４ｋｂｐｓとＤＴＣＨの１２．２ｋｂｐｓとを多重したもの）での伝送レートにて通信状態となる（図８の通信状態の部分を参照）。
【００３０】
最後に、ユーザーの呼を解除するまでの無線基地局４の動作について説明する。
【００３１】
この動作は、多重したＤＣＣＨ（３．４）とＤＴＣＨ（１２．２）による通信状態から、ＤＴＣＨ（１２．２）を解放させ、ＤＣＣＨ（３．４）で呼の解除を行うものである。
【００３２】
ＤＴＣＨの解放についてはＤＴＣＨの追加動作と同様に、上位ノード５からの要求により実行する。
【００３３】
無線基地局４は上位ノードＩ／Ｆ部１１により上位ノード５から確立中の呼のＤＴＣＨを解放する解放メッセージを受信する。
【００３４】
無線回線制御部４２は、リンクした有線区間ＩＤと無線区間ＩＤに対応させて保存したユーザー情報（ＤＣＣＨ（３．４）を設定するための情報にＤＴＣＨ（１２．５）を設定するための情報をリンクした物）からＤＴＣＨ（１２．５）の部分を削除し、無線リソース部１３に対してＤＴＣＨのわりあて分のリソースを解放するよう指示する。無線リソース部１３は、ＤＴＣＨのわりあて分のリソースを解放する。この状態（ＤＣＣＨ（３．４））で呼の解除が行われる（図８の呼の解除の部分を参照）。
【００３５】
【発明が解決しようとする課題】
上述した従来の無線基地局は、ユーザーの呼を確立するまでのネゴシエーションのときに、ＤＣＣＨの伝送レートを３．４ｋｂｐｓにしている。一方、ユーザーは、呼が確立するまで、すなわち、通話を開始するまでの時間待たなければならずこのネゴシエーションの時間が待ち時間となる。このため、この伝送レート（３．４ｋｂｐｓ）ではネゴシエーション時間が掛かり、ユーザーが待ち時間が長いと感じる恐れがあるという問題がある。
【００３６】
本発明の目的はこのような従来の欠点を除去するため、ユーザーが通話を開始するまでの待ち時間を長く感じる恐れのない無線基地局を提供することにある。
【００３７】
【課題を解決するための手段】
本発明の第１の無線基地局は、上位ノードよりの指示により、デディケート・コントロール・チャネル（以後、ＤＣＣＨと記載する。）を使用して呼を確立し、デディケート・トラフィック・チャネル（以後、ＤＴＣＨと記載する。）と前記ＤＣＣＨとを多重した回線を使用して通信状態を確立し維持する無線基地局において、
前記呼を確立するために使用する前記ＤＣＣＨの伝送レートを、前記通信状態を確立し維持するために使用する前記ＤＴＣＨと前記ＤＣＣＨとを多重した回線中の前記ＤＣＣＨの伝送レートより高速にしている。
【００３８】
また、本発明の第１の無線基地局は、前記呼を確立するために使用する前記ＤＣＣＨの伝送レートを１３．６ｋｂｐｓとし、前記通信状態を確立し維持するときに使用する前記ＤＣＣＨの伝送レートを３．４ｋｂｐｓとしている。
【００３９】
本発明の第２の無線基地局は、上位ノードよりの指示により、ＤＣＣＨを使用して呼を確立し、ＤＴＣＨと前記ＤＣＣＨとを多重した回線を使用して通信状態を確立し維持する無線基地局において、
呼を確立するために使用する回線を設定するために、前記上位ノードより予め定めた第１の伝送レートでの前記ＤＣＣＨを設定するための指示を受け、この指示に従いリソースを割り当てこの割り当てたリソースの確保のための第１の指示を出力し、前記呼が確立した後に、通信状態を確立し維持するために使用する回線を設定するために、前記上位ノードより前記第１の伝送レートより低速の予め定めた第２の伝送レートでの前記ＤＣＣＨを設定するための指示と前記ＤＴＣＨを設定するための指示とを受け、これらの指示に従いリソースを割り当てこの割り当てたリソースの確保のための第２の指示を出力する無線回線制御部と、
前記第１の指示を受け前記第１の伝送レートに応じたリソースを確保し、前記第２の指示を受け前記第２の伝送レートと前記ＤＴＣＨの伝送レートとに応じたリソースを確保する無線リソース部と、
を備えて構成されている。
【００４０】
また、本発明の第２の無線基地局の前記無線回線制御部は、前記通信状態が確立した後に、前記呼を解除するために使用する回線を設定するために、前記上位ノードより前記ＤＴＣＨを解除するための指示を受け、この指示に従い前記ＤＴＣＨの設定ためのリソースの割り当てを解除し、この解除したリソースを解放するための第３の指示を出力し、前記第１の伝送レートでの前記ＤＣＣＨを設定するための指示を受け、この指示に従いリソースを割り当てこの割り当てたリソースの確保のための前記第１の指示を出力するようにし、前記無線リソース部は、前記第３の指示を受け前記ＤＴＣＨ用に確保した前記ＤＴＣＨの伝送レートに対応するリソースを解放し、前記第１の指示を受け前記第１の伝送レートに応じたリソースを確保するようにしている。
【００４１】
本発明の第３の無線基地局は、上位ノードよりの指示により、ＤＣＣＨを使用して呼を確立し、ＤＴＣＨと前記ＤＣＣＨとを多重した回線を使用して通信状態を確立し維持する無線基地局において、
呼を確立するために使用する回線を設定するために、前記上位ノードよりの指示に従い予め定めた第１の伝送レートの前記ＤＣＣＨを設定するための有線区間に関連する各種設定パラメータを有線区間ＩＤを割り当ててユーザー情報として保持し、前記上位ノードの指示に従い前記第１の伝送レートの前記ＤＣＣＨを設定するための無線区間に関連する各種設定パラメータを無線区間ＩＤを割り当ててユーザー情報として保持し、この前記有線区間ＩＤと前記無線区間ＩＤとをリンク付けし、前記第１の伝送レートに応じたリソースを割り当てこの割り当てたリソースの確保のための第１の指示を出力し、呼が確立した後に、通信状態を確立し維持するために使用する回線を設定するために、前記上位ノードから前記第１の伝送レートより低速の予め定めた第２の伝送レートの前記ＤＣＣＨを設定するための第１の有線情報を受け、前記有線区間ＩＤを割り当てられた前記ユーザー情報中の前記第１の伝送レートの前記ＤＣＣＨを設定するためのパラメータを前記第２の伝送レートの前記ＤＣＣＨを設定するためのパラメータに取り替え、前記上位ノードから前記ＤＴＣＨを設定するための第２の有線情報と、前記ＤＣＣＨと前記ＤＴＣＨとをリンクすることを指示するメッセージとを受け、前記リンク付けした前記有線区間ＩＤに対応するユーザー情報と前記無線区間ＩＤに対応するユーザー情報とに前記ＤＴＣＨを設定するための前記第２の有線情報を付け加えて保持し、前記第２の伝送レートと前記ＤＴＣＨの伝送レートとに応じたリソースを割り当てこの割り当てたリソースの確保のための第２の指示を出力する無線回線制御部と、
前記第１の指示を受け前記第１の伝送レートに応じたリソースを確保し、前記第２の指示を受け前記第２の伝送レートと前記ＤＴＣＨの伝送レートとに応じたリソースを確保する無線リソース部と、
を備えて構成されている。
【００４２】
また、本発明の第３の無線基地局の前記無線回線制御部は、前記通信状態が確立した後に、前記呼を解除するために使用する回線を設定するために、前記上位ノードより、前記第１の伝送レートの前記ＤＣＣＨの設定のための第３の有線情報を受け、前記有線区間ＩＤを割り当てられた前記ユーザー情報中の前記第２の伝送レートの前記ＤＣＣＨを設定するためのパラメータを前記第１の伝送レートの前記ＤＣＣＨの設定のためのパラメータに取り替え、前記上位ノードよりの指示に従い、前記ＤＴＣＨを設定するための前記第２の有線情報を付け加えて保持した情報から前記ＤＴＣＨを設定するためのパラメータを削除し、前記ＤＴＣＨを設定するためのリソースの割り当てを解除し、この解除したリソースを解放するための第３の指示を出力し、前記第１の伝送レートの前記ＤＣＣＨに切り替えるための第４の指示を出力するようにし、前記無線リソース部は、前記第３の指示を受け前記ＤＴＣＨ用に確保した前記ＤＴＣＨの伝送レートに対応するリソースを解放し、前記第４の指示を受け前記第１の伝送レートに応じたリソースを確保するようにしている。
【００４３】
本発明の第４の無線基地局は、上位ノードよりの指示により、ＤＣＣＨを使用して呼を確立し、ＤＴＣＨと前記ＤＣＣＨとを多重した回線を使用して通信状態を確立し維持する無線基地局において、
呼を確立するために使用する回線を設定するために、前記上位ノードより有線区間ＩＤ設定を要求するメッセージを受け、このメッセージに従い予め定めた第１の伝送レートの前記ＤＣＣＨを設定するための有線区間に関連する各種設定パラメータをユーザー情報として保持し、この情報に前記有線区間ＩＤ設定を要求する前記メッセージに含まれる有線区間ＩＤを割り当て、前記上位ノードから無線区間ＩＤ設定を要求するメッセージを受け、このメッセージに従い前記第１の伝送レートの前記ＤＣＣＨを設定するための無線区間に関連する各種設定パラメータをユーザー情報として保持し、この情報に前記無線区間ＩＤ設定を要求する前記メッセージに含まれる無線区間ＩＤを割り当て、それぞれ割り当てた前記有線区間ＩＤと前記無線区間ＩＤの双方をリンク付けし、前記第１の伝送レートに応じたリソースを割り当てこの割り当てたリソースの確保のための第１の指示を出力し、呼が確立した後に、通信状態を確立し維持するために使用する回線を設定するために、前記上位ノードから前記第１の伝送レートより低速の予め定めた第２の伝送レートの前記ＤＣＣＨを設定するための第１の有線情報を受け、この第１の有線情報に従い前記有線区間ＩＤを割り当てられた前記ユーザー情報中の前記第１の伝送レートの前記ＤＣＣＨを設定するためのパラメータを前記第２の伝送レートの前記ＤＣＣＨを設定するためのパラメータに取り替え、前記上位ノードから前記ＤＴＣＨを設定するための第２の有線情報を受け、前記上位ノードから前記ＤＣＣＨと前記ＤＴＣＨとをリンクすることを指示するメッセージを受け、前記リンク付けした前記有線区間ＩＤに対応するユーザー情報と前記無線区間ＩＤに対応するユーザー情報とに前記ＤＴＣＨを設定するための前記第２の有線情報を付け加えて保持し、この保持した情報に従って前記第２の伝送レートと前記ＤＴＣＨの伝送レートとに応じたリソースを割り当てこの割り当てたリソースの確保のための第２の指示を出力する無線回線制御部と、
前記第１の指示を受けこの指示に従い前記第１の伝送レートに応じたリソースを確保し、前記第２の指示を受けこの指示に従い前記第２の伝送レートと前記ＤＴＣＨの伝送レートとに応じたリソースを確保する無線リソース部と、
を備えて構成されている。
【００４４】
また、本発明の第４の無線基地局の前記無線回線制御部は、前記通信状態が確立した後に、前記呼を解除するために使用する回線を設定するために、前記上位ノードより、前記第１の伝送レートのＤＣＣＨの設定のための第３の有線情報を受け、この第３の有線情報に従い前記有線区間ＩＤを割り当てられた前記ユーザー情報中の前記第２の伝送レートの前記ＤＣＣＨを設定するためのパラメータを前記第１の伝送レートの前記ＤＣＣＨの設定のためのパラメータに取り替え、前記上位ノードより前記ＤＴＣＨを解放するためのメッセージを受け、前記ＤＴＣＨを設定するための前記第２の有線情報を付け加えて保持した情報から前記ＤＴＣＨを設定するためのパラメータを削除し、前記ＤＴＣＨを解放するための前記メッセージに従い前記ＤＴＣＨを設定するためのリソースの割り当てを解除し、この解除したリソースを解放するための第３の指示を出力し、前記第１の伝送レートの前記ＤＣＣＨに切り替えるための第４の指示を出力するようにし、前記無線リソース部は、前記第３の指示を受けこの指示に従い前記ＤＴＣＨ用に確保した前記ＤＴＣＨの伝送レートに対応するリソースを解放し、前記第４の指示を受け前記第１の伝送レートに応じたリソースを確保するようにしている。
【００４５】
更に、本発明の第２から第４の無線基地局において、前記第１の伝送レートを１３．６ｋｂｐｓ、前記第２の伝送レートを３．４ｋｂｐｓとしている。
【００４６】
【発明の実施の形態】
次に、本発明の実施の形態について図面を参照して説明する。
【００４７】
図１は、本発明の無線基地局の一つの実施の形態を示すブロック図である。
【００４８】
図１に示す本実施の形態の無線基地局は、無線基地局１の上位装置の位置付けとなる回線制御局等の上位ノード２とのインタフェース機能を実現する上位ノードＩ／Ｆ部１１と、上位ノード２からの入力情報を解析し無線基地局１内の無線リソースの割り当て制御を行う無線回線制御部１２と、無線回線制御部１２からの指示に従い実際の無線リソースを確保し保持する無線リソース部１３とにより構成する。
【００４９】
次に、本実施の形態の無線基地局１の動作について図２，図３，図４，図５及び図６を参照して詳細に説明する。
【００５０】
図２は、図１に示す本実施の形態の動作の一部（呼の確立）の一例を示すフローチャートである。
【００５１】
図３は、図１に示す本実施の形態の動作の一部（通信状態の確立）の一例を示すフローチャートである。
【００５２】
図４は、図１に示す本実施の形態の動作の一部（呼の解除）の一例を示すフローチャートである。
【００５３】
図５は、呼の確立，通信状態及び呼の解除時に使用する回線とこの回線の伝送レートとの関係（その１）の一例を示す図であり、呼の確立時（ネゴシエーション時）には、伝送レート１３．６ｋｂｐｓのＤＣＣＨ（以後、ＤＣＣＨ（１３．６）と記載する。）を使用し、通信状態の時には、伝送レート１２．２ｋｂｐｓのＤＴＣＨ（以後、ＤＴＣＨ（１２．２）と記載する。）と伝送レート３．４ｋｂｐｓのＤＣＣＨ（以後、ＤＣＣＨ（３．４）と記載する。）とを多重した回線を使用し、呼の解除時には、ＤＣＣＨ（１３．６）を使用していることを示している。
【００５４】
図６は、呼の確立，通信状態及び呼の解除時に使用する回線とこの回線の伝送レートとの関係（その２）の一例を示す図であり、呼の確立時（ネゴシエーション時）には、ＤＣＣＨ（１３．６）を使用し、通信状態の時には、ＤＴＣＨ（１２．２）とＤＣＣＨ（３．４）とを多重した回線を使用し、呼の解除時には、ＤＣＣＨ（３．４）を使用していることを示している。
【００５５】
図１において、無線基地局１は、上位ノード２からの指示により、ＣＤＭＡ方式により、移動機３との間で、ＤＣＣＨを使用して呼を確立し、ＤＴＣＨとＤＣＣＨとを多重した回線を使用して通信状態を確立し維持し、ＤＣＣＨを使用して呼の解除を行う。
【００５６】
最初に、呼を確立させるまでの無線基地局１の動作（ネゴシエーション）を図２を参照して説明する。
【００５７】
初めに、有線区間ＩＤの割り当てを行う。有線区間ＩＤの割り当てを行う際は、無線基地局１は、上位ノードＩ／Ｆ部１１により上位ノード２から有線区間ＩＤ設定を要求するメッセージを受信する（図２のＳ２１）。
【００５８】
受信したメッセージに従い、無線基地局１の無線回線制御部１２は、無線回線制御部１２より上流部分を示す有線区間に関連する各種設定パラメータ（ＤＣＣＨ（１３．６）を設定するための有線区間の帯域等の情報に関連したパラメータ）を１ユーザー情報として保持しこの保持した情報に対して、受信したメッセージに含まれる有線区間ＩＤを割り当てる（図２のＳ２２）。
【００５９】
次に、無線基地局１は、上位ノードＩ／Ｆ部１１により上位ノード２から無線区間ＩＤ設定を要求するメッセージを受信する（図２のＳ２３）。
【００６０】
受信したメッセージに従い、無線基地局１の無線回線制御部１２は、無線回線制御部１２より下流部分を示す無線区間に関連する各種設定パラメータ（ＤＣＣＨ（１３．６）を設定するための無線区間の帯域、送信電力、リンクすべき有線区間ＩＤ情報等の情報に関連したパラメータ）を１ユーザー情報として保持しこの保持した情報に対して、受信したメッセージに含まれる無線区間ＩＤを割り当てる（図２のＳ２４）。
【００６１】
その後、無線回線制御部１２は、それぞれ割り当てた有線区間ＩＤと無線区間ＩＤの双方をリンク付け（対応付け）しリソースを割り当て、この割り当てたリソースを確保するための指示を無線リソース部１３に出力する（図２のＳ２５）。
【００６２】
ここで、リソースとは、例えばモデムであり、１つのモデムで処理できる上り、下りの伝送能力も一律で、パケット送信等、伝送レートの高い通信（６４ｋｂｐｓ、１２８ｋｂｐｓ、２５６ｋｂｐｓ、３８４ｋｂｐｓ等）を行う場合は、１ユーザに対して複数のモデムを割り当て、音声通信等、伝送レートの低い通信（例えば、１２．２ｋｂｐｓ等）を行う場合は、１モデムをユーザに割り当てる。ここでは、例えば、ＤＣＣＨ（１３．６）を設定するための伝送レートをまかなえる数のモデムを割り当てる。
【００６３】
そして、例えば複数のモデムを保持している無線リソース部１３は、リソース確保のための指示を無線回線制御部１２より受け、この指示に従い伝送レート１３．６ｋｂｐｓをまかなえるリソースを確保する（図２のＳ２６）。
【００６４】
ここまでの手順（図２のＳ２１〜Ｓ２６）により確立したＤＣＣＨ（１３．６）にてネゴシエーションが行われ呼が確立する（図５、図６のネゴシエーションの部分を参照）。このネゴシエーションは、従来の技術では図８に示すようにＤＣＣＨ（３．４）を使用していたので、従来の４倍の速さで行われるため、従来の１／４の時間で呼が確立する。
【００６５】
次に、通信状態を確立するまでの無線基地局１の動作を図３を参照して説明する。
【００６６】
この動作は、ネゴシエーション時に確立しているＤＣＣＨの伝送レート１３．６ｋｂｐｓを３．４ｋｂｐｓに落としユーザーデータ（例えば、音声信号）を伝送するためのＤＴＣＨと多重するものである。ＤＴＣＨの追加に関してはＤＣＣＨの設定動作と同様に、上位ノード２からの要求により実行する。
【００６７】
無線基地局１の無線回線制御部１２は、上位ノードＩ／Ｆ部１１を介して上位ノード２からＤＣＣＨ（３．４）を設定するための有線情報を受信し、有線区間ＩＤを割り当てられたユーザー情報中のＤＣＣＨ（１３．６）を設定するためのパラメータをＤＣＣＨ（３．４）を設定するためのパラメータに取り替える（図３のＳ３１）。
【００６８】
無線基地局１の無線回線制御部１２は、上位ノードＩ／Ｆ部１１を介して上位ノード２からＤＴＣＨを設定するための有線情報（ＤＴＣＨ（１２．２）を設定するための情報等）を受信する（図３のＳ３２）。
【００６９】
無線基地局１の無線回線制御部１２は、上位ノードＩ／Ｆ部１１を介して上位ノード２からＤＣＣＨ（３．４）とＤＴＣＨ（１２．２）とをリンクすることを指示するメッセージを受信し、図２のＳ２５のステップで有線区間ＩＤと無線区間ＩＤの双方をリンク付けしたときのそれぞれのユーザー情報にＤＴＣＨ（１２．２）を設定するための有線情報を付け加えて保持する（図３のＳ３３）。
【００７０】
その後、無線回線制御部１２は、ＤＴＣＨ（１２．２）を設定するための有線情報を付加した情報にしたがってリソースを割り当て、この割り当てたリソースを確保するための指示を無線リソース部１３に出力する。ここでは、例えば、ＤＣＣＨ（３．４）とＤＴＣＨ（１２．２）を設定するための伝送レートに見合った数のモデムを割り当てる。また、この確保するリソースに切り替えるタイミング（例えば、時刻等）の指示を無線リソース部１３に出力する（図３のＳ３４）。
【００７１】
無線リソース部１３は、リソース確保のための指示を無線回線制御部１２より受け、この指示に従い伝送レート１５．６ｋｂｐｓ（ＤＣＣＨの３．４ｋｂｐｓとＤＴＣＨの１２．２ｋｂｐｓとを多重したもの）をまかなえるリソースを確保し、無線回線制御部１２より受けたタイミングの示す時点でこの確保したリソースに切り替える（図３のＳ３５）。
【００７２】
ここまでの手順（図３のＳ３１〜Ｓ３５）により１５．６ｋｂｐｓでの伝送レートにて通信状態となる（図５、図６の通信状態の部分を参照）。
【００７３】
最後に、呼を解除するまでの無線基地局１の動作を図４を参照して説明する。
【００７４】
この動作は、ＤＣＣＨ（３．４）とＤＴＣＨ（１２．２）とを多重した回線による通信状態から、ＤＴＣＨ（１２．２）を解放させ、ＤＣＣＨの伝送レートを３．４ｋｂｐｓから１３．６ｋｂｐｓに替えて、この替えたＤＣＣＨ（１３．６）で呼の解除を行うようにしたものである。
【００７５】
無線基地局１の無線回線制御部１２は、上位ノードＩ／Ｆ部１１を介して上位ノード２より、ＤＣＣＨ（１３．６）を設定するための有線情報を受信し、有線区間ＩＤを割り当てられたユーザー情報中のＤＣＣＨ（３．４）を設定するためのパラメータをＤＣＣＨ（１３．６）を設定するためのパラメータに取り替える（図４のＳ４１）。
【００７６】
無線基地局１の無線回線制御部１２は、上位ノードＩ／Ｆ部１１を介して上位ノード２より確立中の呼のＤＴＣＨを解放するメッセージを受信し、図３のＳ３３のステップでＤＴＣＨを設定するための有線情報を付け加えて保持した情報からＤＴＣＨを設定するためのパラメータを削除し、ＤＴＣＨを設定するためのリソースの割り当てを解除し、無線リソース部１３に対してこの解除したリソースを解放するための指示を出力する（図４のＳ４２）。
【００７７】
無線リソース部１３は、リソースを解放するための指示を無線回線制御部１２より受け、ＤＴＣＨ用に確保したＤＴＣＨの伝送レートに対応するリソースを解放する（図４のＳ４３）。
【００７８】
無線回線制御部１２は、ＤＣＣＨ（１３．６）に切り替えるための指示を無線リソース部１３に出力し、無線リソース部１３はこの指示を受け伝送レート１３．６ｋｂｐｓに対応したリソースを確保しこの確保したリソースに切り替える（図４のＳ４４）。
【００７９】
ここまでの手順（図４のＳ４１〜Ｓ４４）により確立したＤＣＣＨ（１３．６）にて呼の解除が行われる（図５の呼の解除の部分を参照）。この呼の解除は、従来の技術では図８に示すようにＤＣＣＨ（３．４）を使用していたので、従来の４倍の速さで行われるため、従来の１／４の時間で呼が解除される。
【００８０】
以上の説明では、呼を解除するまでの無線基地局１の動作は、ＤＣＣＨ（３．４）とＤＴＣＨ（１２．２）とを多重した回線による通信状態から、ＤＴＣＨ（１２．２）を解放させ、ＤＣＣＨの伝送レートを３．４ｋｂｐｓから１３．６ｋｂｐｓに替えて、この替えたＤＣＣＨ（１３．６）で呼の解除を行うようにしたが、図８の呼の解除の部分に示す従来技術と同様に、ＤＣＣＨ（３．４）とＤＴＣＨ（１２．２）とを多重した回線による通信状態から、ＤＴＣＨ（１２．２）を解放させるのみで、ＤＣＣＨの伝送レートを替えないで、ＤＣＣＨ（３．４）にて呼の解除が行われるようにしても良い（図６の呼の解除の部分を参照）。
【００８１】
【発明の効果】
以上説明したように、本発明の無線基地局によれば、呼を確立するために使用するＤＣＣＨの伝送レートを、通信状態を確立し維持するために使用するＤＴＣＨとＤＣＣＨとを多重した回線中のＤＣＣＨの伝送レートより高速にしたため、この高速の伝送レートにより呼を確立するので、ユーザーが通話を開始するまでの待ち時間を長く感じる恐れがない。
【図面の簡単な説明】
【図１】本発明の無線基地局の一つの実施の形態を示すブロック図である。
【図２】本実施の形態の動作の一部（呼の確立）の一例を示すフローチャートである。
【図３】本実施の形態の動作の一部（通信状態の確立）の一例を示すフローチャートである。
【図４】本実施の形態の動作の一部（呼の解除）の一例を示すフローチャートである。
【図５】呼の確立，通信状態及び呼の解除時に使用する回線とこの回線の伝送レートとの関係（その１）の一例を示す図である。
【図６】呼の確立，通信状態及び呼の解除時に使用する回線とこの回線の伝送レートとの関係（その２）の一例を示す図である。
【図７】従来の無線基地局を示すブロック図である。
【図８】図７で使用する、呼の確立，通信状態及び呼の解除時に使用する回線とこの回線の伝送レートとの関係を示す図である。
【符号の説明】
１    無線基地局
２    上位ノード
３    移動機
４    無線基地局
５    上位ノード
１１    上位ノードＩ／Ｆ部
１２    無線回線制御部
１３    無線リソース部
４２    無線回線制御部
【図１】
0004132979.tif 000002
【図２】
0004132979.tif 000003
【図３】
0004132979.tif 000004
【図４】
0004132979.tif 000005
【図５】
0004132979.tif 000006
【図６】
0004132979.tif 000007
【図７】
0004132979.tif 000008
【図８】
0004132979.tif 000009